(57)【要約】【課題】  消費電力を節減するとともに正確な諧調表示が可能なフィールド順次駆動方式の液晶表示装置およびその駆動方法を提供する。【解決手段】  第１および第２基板間に形成される液晶を有し，１つの画素にレッド，グリーン，ブルーの光を順次透過させる液晶表示装置の駆動方法は，第１画素に，第１階調データに対応する第１階調電圧を印加した後に，上記第１階調データに対応する第１リセット電圧を印加し，第２画素に，第２階調データに対応する第２階調電圧を印加した後に，上記第２階調データに対応し，上記第１リセット電圧と異なる電圧レベルに設定可能な第２リセット電圧を印加する。かかる構成により，低消費電力で各画素の液晶状態を初期化できる。【選択図】  図６
2005331907.tif 000002
【特許請求の範囲】
【請求項１】
第１および第２基板間に形成される液晶を有し，１つの画素にレッド，グリーン，ブルーの光を順次透過させる液晶表示装置の駆動方法であって：
第１画素に，第１階調データに対応する第１階調電圧を印加する段階と；
前記第１画素に，前記第１階調データに対応する第１リセット電圧を印加する段階と；
第２画素に，第２階調データに対応する第２階調電圧を印加する段階と；
前記第２画素に，前記第２階調データに対応し，前記第１リセット電圧と異なる電圧レベルに設定可能な第２リセット電圧を印加する段階と；
を含むことを特徴とする，液晶表示装置の駆動方法。
【請求項２】
前記第１階調電圧が前記第２階調電圧より高い場合，前記第１リセット電圧は前記第２リセット電圧より低く設定されることを特徴とする，請求項１に記載の液晶表示装置の駆動方法。
【請求項３】
第１および第２基板間に形成される液晶を有し，１つの画素にレッド，グリーン，ブルーの光を順次透過させる液晶表示装置の駆動方法であって：
第１画素に，第１階調データに対応する第１階調電圧を印加する段階と；
前記第１画素に，前記第１階調データに対応するリセット電圧を印加し，前記第１画素の液晶状態を特定状態に初期化する段階と；
を含むことを特徴とする，液晶表示装置の駆動方法。
【請求項４】
前記液晶の特定状態は，光透過率がほぼ０であることを特徴とする，請求項３に記載の液晶表示装置の駆動方法。
【請求項５】
前記第１画素に，前記第１階調データに対応するリセット電圧を印加し，前記第１画素の液晶状態を特定状態に初期化する段階は，
前記第１階調電圧が所定の基準電圧より低い場合，前記第１階調データに対応するリセット電圧を印加し，
前記第１階調電圧が所定の基準電圧より高い場合，リセット電圧を印加しないことを特徴とする，請求項３に記載の液晶表示装置の駆動方法。
【請求項６】
前記所定の基準電圧は，前記液晶の光透過率がほぼ０の状態になるような電圧であることを特徴とする，請求項５に記載の液晶表示装置の駆動方法。
【請求項７】
前記第１画素に，前記第１階調データに対応するリセット電圧を印加し，前記第１画素の液晶状態を特定状態に初期化する段階は，
前記第１階調データに応じて，２以上のリセット電圧のうちいずれか１つのリセット電圧を選択する段階と；
前記選択されたリセット電圧を前記第１画素に供給する段階と；
を含むことを特徴とする，請求項４に記載の液晶表示装置の駆動方法。
【請求項８】
第１および第２基板間に形成される液晶を有し，１つの画素にレッド，グリーン，ブルーの光を順次透過させる液晶表示装置の駆動方法であって：
第１画素に，第１階調データに対応する第１階調波形を印加する段階と；
前記第１画素に，前記第１階調データに対応する第１リセット波形を印加する段階と；
第２画素に，前記第２階調データに対応する第２階調波形を印加する段階と；
前記第２画素に，前記第２階調データに対応し，前記第１リセット波形と異なる波形に形成可能な第２リセット波形を印加する段階と；
を含むことを特徴とする，液晶表示装置の駆動方法。
【請求項９】
前記第１リセット波形と第２リセット波形は，矩形波であり，両波形の幅を異なるように形成可能であることを特徴とする，請求項８に記載の液晶表示装置の駆動方法。
【請求項１０】
前記第１階調波形の幅が前記第２階調波形の幅より大きい場合，前記第１リセット波形の幅は前記第２リセット波形の幅より小さく形成されることを特徴とする，請求項９に記載の液晶表示装置の駆動方法。
【請求項１１】
前記第１リセット波形と第２リセット波形は，電圧レベルを異なるように形成可能であることを特徴とする，請求項８に記載の液晶表示装置の駆動方法。
【請求項１２】
前記第１階調波形の幅が前記第２階調波形の幅より大きい場合，前記第１リセット波形の電圧レベルは前記第２リセット波形の電圧レベルより低く形成されることを特徴とする，請求項１１に記載の液晶表示装置の駆動方法。
【請求項１３】
第１および第２基板間に形成される液晶を有し，１つの画素にレッド，グリーン，ブルーの光を順次透過させる液晶表示装置の駆動方法であって：
第１画素に，第１階調データに対応する第１階調波形を印加する段階と；
前記第１画素に，前記第１階調データに対応するリセット波形を印加して，前記第１画素の液晶状態を特定状態に初期化する段階と；
を含むことを特徴とする，液晶表示装置の駆動方法。
【請求項１４】
前記液晶の特定状態は，光透過率がほぼ０であることを特徴とする，請求項１３に記載の液晶表示装置の駆動方法。
【請求項１５】
前記第１画素に，前記第１階調データに対応するリセット波形を印加して，前記第１画素の液晶状態を特定状態に初期化する段階は，
前記第１階調波形の幅が所定の基準幅より小さい場合，前記第１階調データに対応するリセット波形を印加し，
前記第１階調波形の幅が所定の基準幅より大きい場合，リセット波形を印加しないことを特徴とする，請求項１３に記載の液晶表示装置の駆動方法。
【請求項１６】
前記基準幅は，前記液晶の光透過率がほぼ０の状態になるような幅であることを特徴とする，請求項１５に記載の液晶表示装置の駆動方法。
【請求項１７】
複数の走査線と，前記走査線と絶縁されて交差する複数のデータ線と，前記走査線およびデータ線で取り囲まれた領域に形成され，それぞれ前記走査線およびデータ線に連結されたスイッチング素子とを有し，行列を構成するように配列された複数の画素を含み，前記複数の画素の画素毎にレッド，グリーン，ブルーの光を順次透過させる液晶表示装置の駆動方法であって：
それぞれレッド，ブルー，およびグリーンの光を駆動するためのレッドフィールド，ブルーフィールド，およびグリーンフィールドを形成し，
前記レッドフィールド，グリーンフィールド，およびブルーフィールドのそれぞれは，
前記走査線を順次駆動して，直前フィールドに印加された諧調データに対応するリセット電圧またはリセット波形を印加するリセット区間と；
前記走査線を順次駆動して，諧調データに対応する諧調電圧または諧調波形を印加するデータ印加区間と；
を含むことを特徴とする，液晶表示装置の駆動方法。
【請求項１８】
前記リセット区間において，相違した電圧レベルで形成される２以上のリセット電圧が設けられ，前記直前フィールドの任意の画素に印加された諧調データに対応するリセット電圧を選択し，選択されたリセット電圧を前記任意の画素に印加することを特徴とする，請求項１７に記載の液晶表示装置の駆動方法。
【請求項１９】
前記リセット区間において，相違した幅で形成される２以上のリセット波形が設けられ，前記直前フィールドの任意の画素に印加された諧調データに対応するリセット波形を選択し，選択されたリセット波形を前記任意の画素に印加することを特徴とする，請求項１７に記載の液晶表示装置の駆動方法。
【請求項２０】
走査信号を伝達する複数の走査線と，前記走査線と絶縁されて交差する複数のデータ線と，前記走査線およびデータ線で取り囲まれた領域に形成され，それぞれ前記走査線およびデータ線に連結されたスイッチング素子とを有し，行列を構成するように配列された複数の画素を含む液晶表示装置パネルと；
前記走査線に走査信号を順次供給するゲートドライバと；
諧調データに対応する諧調電圧を生成する諧調電圧発生部と；
直前画素に印加される諧調電圧に対応するリセット電圧を生成するリセット電圧発生部と；
前記諧調電圧発生部および前記リセット電圧発生部から出力された諧調電圧およびリセット電圧を当該データ線に供給するデータドライバと；
画素毎にそれぞれレッド，グリーン，ブルーの光を順次出力する光源と；
を含むことを特徴とする，液晶表示装置。
【請求項２１】
前記リセット電圧発生部は，
直前画素に対応する諧調データと，前記直前画素の諧調データに対応するリセット電圧値とを記憶しているメモリと；
相違した電圧レベルで形成された２以上のリセット電圧を生成する静電圧発生部と；
前記静電圧発生部が生成した２以上のリセット電圧のいずれか１つのリセット電圧を選択するスイッチと；
前記メモリに記憶された直前画素の諧調データに対応するリセット電圧値をメモリから読み取り，読み取られた値に基づいて前記スイッチの動作を制御するリセット電圧選択部と；
を含むことを特徴とする，請求項２０に記載の液晶表示装置。
【請求項２２】
走査信号を伝達する複数の走査線と，前記走査線と絶縁状態で交差する複数のデータ線と，前記走査線およびデータ線で取り囲まれた領域に形成され，それぞれ前記走査線およびデータ線に連結されたスイッチング素子とを有し，行列を構成するように配列された複数の画素を含む液晶表示装置パネルと；
前記走査線に走査信号を順次供給するゲートドライバと；
諧調データに対応する諧調波形を生成する諧調波形生成部と；
直前画素に印加される諧調波形に対応するリセット波形を生成するリセット波形生成部と，
前記諧調波形生成部および前記リセット波形生成部から出力された諧調波形およびリセット波形を当該データ線に供給するデータドライバと；
画素毎にそれぞれレッド，グリーン，ブルーの光を順次出力する光源と；
を含むことを特徴とする，液晶表示装置。
【請求項２３】
前記諧調波形生成部は，
前記諧調データに対応する諧調波形パターンを持っているパターンテーブルと；
第１電圧および第２電圧を生成する静電圧発生部と；
前記第１電圧および第２電圧のいずれか１つの電圧を選択するスイッチと；
前記入力諧調データに対応する諧調波形パターンを前記パターンテーブルから抽出し，抽出された諧調波形パターンによって前記スイッチの動作を制御する電圧印加時間制御部と；
を含むことを特徴とする，請求項２２に記載の液晶表示装置。
【請求項２４】
前記リセット波形生成部は，
直前画素に対応する諧調データと，直前画素の諧調データに対応するリセット波形パターンとを記憶するメモリと；
第１電圧および第２電圧を生成する静電圧発生部と；
前記第１電圧および前記第２電圧のいずれか１つの電圧を選択するスイッチと；
前記メモリに記憶された直前画素の諧調データに対応するリセット波形パターンを読み取り，読み取られたリセット波形パターンによって前記スイッチを制御する電圧印加時間制御部と；
を含むことを特徴とする，請求項２２に記載の液晶表示装置。
【発明の詳細な説明】
【技術分野】
【０００１】
本発明は，液晶表示装置およびその駆動方法に係り，より詳細には，フィールド順次駆動方式の液晶表示装置およびその駆動方法に関する。
【背景技術】
【０００２】
近年，パソコン，テレビジョンなどの軽量化，薄形化に従い，ディスプレイ装置も軽量化，薄形化が要求されている。このような要求に応えて，陰極線管（ＣＲＴ）の代わりに，液晶表示装置（ＬＣＤ：以下，ＬＣＤと言う。）のようなフラットパネルディスプレイが開発されている。
【０００３】
ＬＣＤは，２枚の基板間に注入されている異方性の誘電率を有する液晶物質に電界を印加し，この電界の強度を調節し，また，外部の光源（バックライト）から基板に透過される光の量を調節することにより，所望の画像信号を得る表示装置である。
【０００４】
このようなＬＣＤは，携帯することが容易なフラットパネルディスプレイの代表的なものであり，そのうちでも，薄膜トランジスタ（Thin Film Transistor：ＴＦＴ）をスイッチング素子として用いたＴＦＴ−ＬＣＤが主に使用されている。
【０００５】
ＴＦＴ−ＬＣＤにおいて，各画素は，液晶を誘電体として有するキャパシタ，つまり液晶キャパシタで形成することができる。このようなＬＣＤにおける各画素の等価回路の例を図１に示す。
【０００６】
図１に示すように，液晶表示装置の各画素は，データ線（Ｄｍ）と走査線（Ｓｎ）にそれぞれソース電極とゲート電極が連結されるＴＦＴ（１０）と，ＴＦＴ（１０）のドレン電極と共通電圧（Ｖｃｏｍ）間に連結される液晶キャパシタ（Ｃ１）と，ＴＦＴのドレン電極に連結されるストレージキャパシタ（Ｃｓｔ）とを含む。
【０００７】
図１において，走査線（Ｓｎ）に走査信号が印加されＴＦＴ（１０）がターンオンされると，データ線に供給されたデータ電圧（Ｖｄ）がＴＦＴを介して各画素電極（図示せず）に印加される。すると，画素電極に印加される画素電圧（Ｖｐ）と共通電圧（Ｖｃｏｍ）間の差に相当する電界が液晶（図１においては等価的に液晶キャパシタ（Ｃ１）で示す。）に印加され，この電界の強度に対応する透過率で光が透過する。この際，画素電圧（Ｖｐ）は１フレームまたは１フィールドの間維持されなければならない。図１において，ストレージキャパシタ（Ｃｓｔ）は，画素電極に印加された画素電圧（Ｖｐ）を維持するために補助的に使用される。
【０００８】
一般に，液晶表示装置は，カラーイメージを表示する方式によって，カラーフィルタ方式とフィールド順次駆動方式の２方式に分けられる。
【０００９】
カラーフィルタ方式の液晶表示装置は，２枚の基板のうち，１つの基板にレッド（Ｒ），グリーン（Ｇ），ブルー（Ｂ）の三原色（以下，単にＲ，Ｇ，Ｂで表す。）からなるカラーフィルタ層を形成し，このカラーフィルタ層に透過される量を調節することにより，所望のカラーをディスプレイする。即ち，カラーフィルタ方式のＬＣＤは，単一光源から照射される光をＲ，Ｇ，Ｂカラーフィルタ層に透過させるにあたって，Ｒ，Ｇ，Ｂカラーフィルタ層に透過される光の量を調節してＲ，Ｇ，Ｂ色を合成することにより所望のカラーをディスプレイする。
【００１０】
このように，単一光源と３色カラーフィルタ層を用いてカラーを表示する液晶表示装置においては，Ｒ，Ｇ，Ｂの各領域にそれぞれ対応する単位画素が必要なので，黒白を表示する場合より３倍の画素が必要になる。したがって，高解像度の画像を得るためには，液晶表示装置パネルの精巧な製造技術が要求される。
【００１１】
また，液晶表示装置基板に別のカラーフィルタ層を形成しなければならない製造上の煩わしさがあり，さらには，カラーフィルタそのものの光透過率を向上させなければならないという問題点もある。
【００１２】
フィールド順次駆動方式の液晶表示装置は，Ｒ，Ｇ，Ｂ各色の独立した光源を順次周期的に点灯し，その点灯周期に同期して，各画素に対応する色信号を加えることにより，フルカラーの画像が得られる。即ち，フィールド順次駆動方式の液晶表示装置によると，１つの画素をＲ，Ｇ，Ｂの単位画素に分割せず，１つの画素にＲ，Ｇ，Ｂバックライトから出力されるＲ，Ｇ，Ｂの三原色の光を時分割方式で順次表示することにより，目の残像効果を利用してカラーイメージを表示する。
【００１３】
このようなフィールド順次駆動方式は，アナログ駆動方式とデジタル駆動方式に区分される。
【００１４】
アナログ駆動方式としては，表示しようとする諧調数に対応する複数の諧調電圧を設定し，上記諧調電圧のうちから諧調データに相応する１つの諧調電圧を選択し，選択された諧調電圧で液晶パネルを駆動することにより印加された諧調電圧に対応する透過光量で諧調表示を行う。
【００１５】
図２は，従来のアナログ駆動方式の液晶表示装置による駆動電圧および透過光量を示す図である。
【００１６】
図２において，駆動電圧は液晶に印加される電圧を意味し，光透過率は，液晶に光が印加される場合における印加された光に対する透過比率を意味する。即ち，光透過率とは，液晶が光を透過させることができるねじれの程度を意味する。
【００１７】
図２に示すように，Ｒカラーを表示するためのＲフィールド区間（Ｔｒ）において，駆動電圧（Ｖ１１）が液晶に印加され，駆動電圧（Ｖ１１）に相応する光が液晶を透過する。Ｇカラーを表示するためのＧフィールド区間（Ｔｇ）においては，駆動電圧（Ｖ１２）が印加されて，駆動電圧（Ｖ１２）に相応する光が液晶を透過する。そして，Ｂカラーを表示するためのＢフィールド区間（Ｔｂ）において，駆動電圧（Ｖ１３）が印加されて，駆動電圧（Ｖ１３）に相応する光透過量が得られる。Ｔｒ，Ｔｇ，Ｔｂ区間で透過されたＲ，Ｇ，Ｂ光の和によって，所望のカラーイメージが表示される。
【００１８】
一方，デジタル駆動方式においては，液晶に印加される駆動電圧を一定とし，電圧を印加する時間を制御して諧調表示を行う。かかるデジタル駆動方式によると，駆動電圧を一定に維持し，電圧を印加したり印加を解除したりするタイミングを制御して，液晶に透過される累積光量を調節することにより諧調を表示する。
【００１９】
図３は，従来のデジタル駆動方式の液晶表示装置の駆動方法を説明するための波形図を示している。ここでは，所定ビットの駆動データによる駆動電圧の波形とそれによる液晶の光透過率を示す。
【００２０】
図３に示すように，各諧調に相応する諧調波形データが所定ビット，例えば７ビットのデジタル信号として提供され，７ビットのデータによる諧調波形が液晶に印加される。そして，印加された諧調波形によって液晶の光透過率が決定され，諧調表示が行われる。
【００２１】
一方，従来のフィールド順次駆動方式によると，現在表示しようとする諧調（例えば，Ｒの諧調）が，直前に表示された諧調（例えば，Ｇの諧調）によって，実効値応答が異なる。そのため，正確な諧調表示ができない問題点があった。即ち，現在（その時点で），液晶に実際に供給される画素電圧（Ｖｐ）は，現在フィールド（例えば，Ｒフィールド）に供給される諧調電圧（または諧調波形）だけでなく，直前フィールド（例えば，Ｂフィールド）に供給される諧調電圧（または諧調波形）の影響を受けて決定される。
【００２２】
このように，直前に表示された諧調によって実効値応答が変わるフィールド順次駆動方式の問題点を解決するため，リセットパルスを用いるフィールド順次駆動方式が開示されている（例えば，特許文献１）。
【００２３】
図４は，特許文献１に開示されているリセットパルスを用いたフィールド順次駆動方式を示す図である。図４において，区間（Ｔ３１〜Ｔ３６）はそれぞれＲ，Ｇ，Ｂに対する諧調表示が行われるＲフィールド，Ｇフィールド，Ｂフィールド区間を示す。
【００２４】
図４に示すように，所定時間（ｔ３１〜ｔ３６）入力される諧調データに拘わらず，各区間（Ｔ３１〜Ｔ３６）の終了地点において，諧調データの最大値より大きい所定の電圧（リセット電圧）が印加される。このようなリセット電圧の印加により，各区間（Ｔ３１〜Ｔ３６）の終了時点において，液晶の状態は全て同一状態（例えば，光を透過させないブラック状態，即ち光透過率１の状態）に初期化される。
【００２５】
したがって，諧調データによる印加電圧により液晶が駆動されるとき，直前に表示された諧調に拘わらず，各区間（Ｔ３１〜Ｔ３６）における液晶の状態が全て同一状態となるため，直前に表示された諧調が現在の諧調表示区間に影響を及ぼさなくなる。
【００２６】
一方で，特許文献１の技術では，入力される諧調データに拘わらず，常に諧調データの最大値より大きく，かつ所定の大きさおよび幅を有するリセット電圧を印加するため，消費電力が増加するという問題点があった。
【００２７】
【特許文献１】米国特許第６，５６７，０６３号明細書
【発明の開示】
【発明が解決しようとする課題】
【００２８】
本発明は，従来技術が有する上記問題点に鑑みてなされたものであり，本発明の目的は，消費電力を節減するとともに正確な諧調表示が可能な，新規かつ改良された液晶表示装置およびその駆動方法を提供することである。
【課題を解決するための手段】
【００２９】
上記課題を解決するために，本発明のある観点によれば，第１および第２基板間に形成される液晶を有し，１つの画素にレッド，グリーン，ブルーの光を順次透過させる液晶表示装置の駆動方法であって：第１画素に，第１階調データに対応する第１階調電圧を印加する段階と；上記第１画素に，上記第１階調データに対応する第１リセット電圧を印加する段階と；第２画素に，第２階調データに対応する第２階調電圧を印加する段階と；上記第２画素に，上記第２階調データに対応し，上記第１リセット電圧と異なる電圧レベルに設定可能な第２リセット電圧を印加する段階と；を含むことを特徴とする液晶表示装置の駆動方法が提供される。
【００３０】
上記第１リセット電圧は，上記第１階調電圧が上記第２階調電圧より高い場合，上記第２リセット電圧より低く設定されるとしても良い。
【００３１】
上記課題を解決するために，本発明の他の観点によれば，第１および第２基板間に形成される液晶を有し，１つの画素にレッド，グリーン，ブルーの光を順次透過させる液晶表示装置の駆動方法であって：第１画素に，第１階調データに対応する第１階調電圧を印加する段階と；上記第１画素に，上記第１階調データに対応するリセット電圧を印加し，上記第１画素の液晶状態を特定状態に初期化する段階と；を含むことを特徴とする，液晶表示装置の駆動方法が提供される。
【００３２】
上記液晶の特定状態は，光透過率がほぼ０の状態であっても良い。
【００３３】
上記第１画素に，上記第１階調データに対応するリセット電圧を印加し，上記第１画素の液晶状態を特定状態に初期化する段階は，上記第１階調電圧が所定の基準電圧より低い場合，上記第１階調データに対応するリセット電圧を印加し，上記第１階調電圧が所定の基準電圧より高い場合，リセット電圧を印加しないとすることができる。
【００３４】
上記所定の基準電圧は，上記液晶の光透過率がほぼ０の状態になるような電圧であるとしても良い。
【００３５】
上記第１画素に，上記第１階調データに対応するリセット電圧を印加し，上記第１画素の液晶状態を特定状態に初期化する段階は，上記第１階調データに応じて，２以上のリセット電圧のうちいずれか１つのリセット電圧を選択する段階と；上記選択されたリセット電圧を上記第１画素に供給する段階と；を含むとしても良い。
【００３６】
上記課題を解決するために，本発明のさらに他の観点によれば，第１および第２基板間に形成される液晶を有し，１つの画素にレッド，グリーン，ブルーの光を順次透過させる液晶表示装置の駆動方法であって：第１画素に，第１階調データに対応する第１階調波形を印加する段階と；上記第１画素に，上記第１階調データに対応する第１リセット波形を印加する段階と；第２画素に，上記第２階調データに対応する第２階調波形を印加する段階と；上記第２画素に，上記第２階調データに対応し，上記第１リセット波形と異なる波形に形成可能な第２リセット波形を印加する段階と；を含むことを特徴とする，液晶表示装置の駆動方法が提供される。
【００３７】
上記第１リセット波形と第２リセット波形は，矩形波であり，両波形の幅を異なるように形成可能であるとしても良い。
【００３８】
上記第１リセット波形の幅は，上記第１階調波形の幅が上記第２階調波形の幅より大きい場合，上記第２リセット波形の幅より小さく形成されるとしても良い。
【００３９】
上記第１リセット波形と第２リセット波形は，電圧レベルを異なるように形成可能であるとしても良い。
【００４０】
上記第１リセット波形の電圧レベルは，上記第１階調波形の幅が上記第２階調波形の幅より大きい場合，上記第２リセット波形の電圧レベルより低く形成されるとしても良い。
【００４１】
上記課題を解決するために，本発明のさらに他の観点によれば，第１および第２基板間に形成される液晶を有し，１つの画素にレッド，グリーン，ブルーの光を順次透過させる液晶表示装置の駆動方法であって：第１画素に，第１階調データに対応する第１階調波形を印加する段階と；上記第１画素に，上記第１階調データに対応するリセット波形を印加して，上記第１画素の液晶状態を特定状態に初期化する段階と；と含むことを特徴とする，液晶表示装置の駆動方法が提供される。
【００４２】
上記液晶の特定状態は，光透過率がほぼ０の状態であるとしても良い。
【００４３】
上記課題を解決するために，本発明のさらに他の観点によれば，上記第１画素に，上記第１階調データに対応するリセット波形を印加して，上記第１画素の液晶状態を特定状態に初期化する段階は，上記第１階調波形の幅が所定の基準幅より小さい場合，上記第１階調データに対応するリセット波形を印加し，上記第１階調波形の幅が所定の基準幅より大きい場合，リセット波形を印加しないことを特徴とする，請求項１３に記載の液晶表示装置の駆動方法も提供される。
【００４４】
上記基準幅は，上記液晶の光透過率がほぼ０の状態になるような幅であるとしても良い。
【００４５】
上記課題を解決するために，本発明のさらに他の観点によれば，複数の走査線と，上記走査線と絶縁されて交差する複数のデータ線と，上記走査線およびデータ線で取り囲まれた領域に形成され，それぞれ上記走査線およびデータ線に連結されたスイッチング素子とを有し，行列を構成するように配列された複数の画素を含み，上記複数の画素の画素毎にレッド，グリーン，ブルーの光を順次透過させる液晶表示装置の駆動方法であって：それぞれレッド，ブルー，およびグリーンの光を駆動するためのレッドフィールド，ブルーフィールド，およびグリーンフィールドを形成し，上記レッドフィールド，グリーンフィールド，およびブルーフィールドのそれぞれは，上記走査線を順次駆動して，直前フィールドに印加された諧調データに対応するリセット電圧またはリセット波形を印加するリセット区間と；上記走査線を順次駆動して，諧調データに対応する諧調電圧または諧調波形を印加するデータ印加区間と；を含むことを特徴とする，液晶表示装置の駆動方法が提供される。
【００４６】
上記リセット区間において，相違した電圧レベルで形成される２以上のリセット電圧が設けられ，上記直前フィールドの任意の画素に印加された諧調データに対応するリセット電圧を選択し，選択されたリセット電圧を上記任意の画素に印加するとしても良い。
【００４７】
上記リセット区間において，相違した幅で形成される２以上のリセット波形が設けられ，上記直前フィールドの任意の画素に印加された諧調データに対応するリセット波形を選択し，選択されたリセット波形を上記任意の画素に印加するとしても良い。
【００４８】
上記課題を解決するために，本発明のさらに他の観点によれば，走査信号を伝達する複数の走査線と，上記走査線と絶縁されて交差する複数のデータ線と，上記走査線およびデータ線で取り囲まれた領域に形成され，それぞれ上記走査線およびデータ線に連結されたスイッチング素子とを有し，行列を構成するように配列された複数の画素を含む液晶表示装置パネルと；上記走査線に走査信号を順次供給するゲートドライバと；諧調データに対応する諧調電圧を生成する諧調電圧発生部と；直前画素に印加される諧調電圧に対応するリセット電圧を生成するリセット電圧発生部と；上記諧調電圧発生部および上記リセット電圧発生部から出力された諧調電圧およびリセット電圧を当該データ線に供給するデータドライバと；画素毎にそれぞれレッド，グリーン，ブルーの光を順次出力する光源と；
を含むことを特徴とする，液晶表示装置が提供される。
【００４９】
上記リセット電圧発生部は，直前画素に対応する諧調データと，上記直前画素の諧調データに対応するリセット電圧値とを記憶しているメモリと；相違した電圧レベルで形成された２以上のリセット電圧を生成する静電圧発生部と；上記静電圧発生部が生成した２以上のリセット電圧のいずれか１つのリセット電圧を選択するスイッチと；上記メモリに記憶された直前画素の諧調データに対応するリセット電圧値をメモリから読み取り，読み取られた値に基づいて上記スイッチの動作を制御するリセット電圧選択部と；を含むとしても良い。
【００５０】
上記課題を解決するために，本発明のさらに他の観点によれば，走査信号を伝達する複数の走査線と，上記走査線と絶縁状態で交差する複数のデータ線と，上記走査線およびデータ線で取り囲まれた領域に形成され，それぞれ上記走査線およびデータ線に連結されたスイッチング素子とを有し，行列を構成するように配列された複数の画素を含む液晶表示装置パネルと；上記走査線に走査信号を順次供給するゲートドライバと；諧調データに対応する諧調波形を生成する諧調波形生成部と；直前画素に印加される諧調波形に対応するリセット波形を生成するリセット波形生成部と，上記諧調波形生成部および上記リセット波形生成部から出力された諧調波形およびリセット波形を当該データ線に供給するデータドライバと；画素毎にそれぞれレッド，グリーン，ブルーの光を順次出力する光源と；を含むことを特徴とする，液晶表示装置が提供される。
【００５１】
上記諧調波形生成部は，上記諧調データに対応する諧調波形パターンを持っているパターンテーブルと；第１電圧および第２電圧を生成する静電圧発生部と；上記第１電圧および第２電圧のいずれか１つの電圧を選択するスイッチと；上記入力諧調データに対応する諧調波形パターンを上記パターンテーブルから抽出し，抽出された諧調波形パターンによって上記スイッチの動作を制御する電圧印加時間制御部と；を含むことを特徴とする，請求項２２に記載の液晶表示装置が提供される。
【００５２】
上記リセット波形生成部は，直前画素に対応する諧調データと，直前画素の諧調データに対応するリセット波形パターンとを記憶するメモリと；第１電圧および第２電圧を生成する静電圧発生部と；上記第１電圧および上記第２電圧のいずれか１つの電圧を選択するスイッチと；上記メモリに記憶された直前画素の諧調データに対応するリセット波形パターンを読み取り，読み取られたリセット波形パターンによって上記スイッチを制御する電圧印加時間制御部と；を含むとしても良い。
【発明の効果】
【００５３】
以上説明したように本発明によれば，直前の画素における諧調データによって，リセット電圧またはリセット波形を変化させて印加することにより，消費電力を節減するともに正確な諧調表示が可能なフィールド順次駆動方式の液晶表示装置およびその駆動方法を提供できるものである。
【発明を実施するための最良の形態】
【００５４】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００５５】
先ず，以下の説明において使用する単語を定義する。“現在画素”は，特に言及がない限り，表示する上での現在時点（ｔ）の画素を意味し，“直前画素”は，その現在に対して直前である時点（直前時点）（ｔ−１）の画素を意味する。そして，“リセット”は，ＬＣＤ内の液晶物質を光が透過しないブラック状態にするため，電圧（または波形）を印加することを意味する。そして，“諧調電圧”および“リセット電圧”は相違した電圧レベルを有する電圧を意味し，“諧調波形”および“リセット波形”はオン電圧幅およびオフ電圧幅が相違した大きさを有する波形を意味する。そして，“光透過率”は，液状に一定の光が印加されたと仮定する場合，印加された光に対する透過された光の比率を意味し，“光透過量”は液晶に実際に光が印加されて，液晶を透過した光の量を意味する。
【００５６】
図５は，本実施形態によるリセット駆動方法を示す図である。
【００５７】
図５に示すように，本実施形態によると，Ｒ，Ｇ，Ｂに対応する光を表示するためのＲフィールド，Ｇフィールド，Ｂフィールドは，それぞれリセット区間（Ｒｒｅｓｅｔ，Ｇｒｅｓｅｔ，Ｂｒｅｓｅｔ）とデータ区間（Ｒｄａｔａ，Ｇｄａｔａ，Ｂｄａｔａ）からなる。
【００５８】
上記リセット区間（Ｒｒｅｓｅｔ，Ｇｒｅｓｅｔ，Ｂｒｅｓｅｔ）は，それぞれ直前に表示された諧調による液晶の状態を同一状態（ブラック状態）にするため，リセット電圧（またはリセット波形）を印加する区間である。本実施形態のリセット区間（Ｒｒｅｓｅｔ，Ｇｒｅｓｅｔ，Ｂｒｅｓｅｔ）では，後述するように，直前の諧調データに対応するリセット電圧（またはリセット波形）がそれぞれ走査線（Ｓ１，Ｓ２，…，Ｓｎ）に順次印加されることにより，直前の諧調に拘わらず，液晶が同一状態となる。
【００５９】
データ区間（Ｒｄａｔａ，Ｇｄａｔａ，Ｂｄａｔａ）は，現在表示される諧調に対応する諧調電圧（または諧調波形）を印加する区間で，このデータ区間に，Ｒ，Ｇ，Ｂに対応する光を出力するバックライトを順次オンさせる。本実施形態においては，バックライトとして発光ダイオードを例に挙げて説明するが，必ずしもこれに限定されるものではない。
【００６０】
次に，図６〜図８に基づいて第１実施形態による駆動方法を説明する。第１実施形態による駆動方法は，アナログ方式のフィールド順次駆動方法に適用されるリセット駆動方法を表している。
【００６１】
図６に示すように，現在，Ｒ光を表示するための（ｍ，ｊ）画素（即ち，Ｄｍデータ線とＳｊ走査線に対応する画素）に印加されるリセット電圧（Ｖｒ２）の大きさと（ｍ，ｊ＋１）画素（つまり，Ｄｍデータ線とＳｊ＋１走査線に対応する画素）に印加されるリセット電圧（Ｖｒ１）の大きさは，直前画素（例えば，Ｂ光を表示するための画素）に印加されたデータによって異なる。
【００６２】
具体的に，第１実施形態によると，ノーマルホワイトモードにおいて直前画素に相対的に絶対値が低い電圧（例えば，１Ｖ）が印加された場合，データ電圧印加区間の終了時点に比較的大きい光が透過可能な液晶状態（即ち，光透過率が高い状態）となるため，現在画素には，相対的に絶対値が大きいリセット電圧を印加しなければならない。
【００６３】
また，直前画素に相対的に高い電圧（例えば，５Ｖ）が印加された場合，低い電圧が印加された場合に比べ，データ電圧印加区間の終了時点で比較的少ない光が透過可能な液晶状態（つまり，光透過率が低い状態）となるため，現在画素には，より小さい絶対値を有するリセット電圧を印加しても十分である。また，直前画素に特に大きいデータ電圧が印加され，データ電圧印加区間の終了時点において液晶がほぼブラック状態である場合は，リセット電圧を印加しないとすることもできる。
【００６４】
一方，図４に示す従来の駆動方式によると，直前画素に印加されるデータ電圧に拘わらず一定大きさのリセット電圧が印加されるので，全てのデータ電圧をリセットするために十分な大きさを有するリセット電圧を印加する必要があった。したがって，リセット電圧による消費電力が増加する問題点があった。
【００６５】
これに対して，第１実施形態によると，直前画素に印加されるデータ電圧に応じて互いに異なる大きさのリセット電圧を印加するため，リセット電圧による消費電力を最小化することができる。
【００６６】
図７および図８は，本発明の第１実施形態による，リセット電圧を印加するための液晶表示装置を示す図である。
【００６７】
図７に示すように，本発明の第１実施形態による液晶表示装置は，液晶表示装置パネル１００，走査ドライバ２００，データドライバ３００，諧調電圧発生部４００，タイミング制御器５００，リセット電圧発生部６００，Ｒ，Ｇ，Ｂ光源をそれぞれ出力する発光ダイオード７００ａ，２００ｂ，７００ｃ，および光源制御器８００を含んで構成される。
【００６８】
上記液晶表示装置パネル１００には，ゲートオン信号を伝達するための複数の走査線（図示せず）が形成され，上記複数の走査線と絶縁状態で交差し，諧調データに対応する諧調データ電圧およびリセット電圧を伝達するデータ線（図示せず）も形成されている。行列を構成するように配列された複数の画素はそれぞれ走査線とデータ線で取り囲まれている。各画素は，走査線とデータ線にそれぞれゲート電極およびソース電極が連結される薄膜トランジスタ（図示せず）と，薄膜トランジスタのドレン電極に連結される画素キャパシタ（図示せず）と，ストレージキャパシタ（図示せず）とを含む。
【００６９】
上記ゲートドライバ２００は，走査線に順次走査信号を印加し，この走査信号により，走査線にゲート電極が連結されたＴＦＴがターンオンする。この際に，本実施形態によると，ゲートドライバ２００は，直前画素に印加されたデータ電圧による影響をなくすため，まずリセット電圧を印加するための走査信号を複数の走査線に順次印加して，その後，データ電圧を印加するための走査信号を複数の走査線に順次印加する。
【００７０】
上記タイミング制御器５００は，外部またはグラフィック制御器（図示せず）から諧調データ信号（Ｒ，Ｇ，Ｂ
ＤＡＴＡ），水平同期信号（Ｈｓｙｎｃ），垂直同期信号（Ｖｓｙｎｃ）を受信し，所要制御信号（Ｓｇ，Ｓｄ，Ｓｂ）をそれぞれ走査ドライバ２００，データドライバ３００および光源制御器８００に供給し，諧調データ（Ｒ，Ｇ，Ｂ
ＤＡＴＡ）を諧調電圧発生部４００およびリセット電圧発生部６００に供給する。
【００７１】
上記諧調電圧発生部４００は，諧調データに相当する大きさを有する諧調電圧を生成してデータドライバ３００に供給する。上記リセット電圧発生部６００は，直前画素に印加される諧調電圧に対応するリセット電圧を選択し，選択された電圧をデータドライバ３００に供給する。データドライバ３００は，諧調電圧発生部４００により出力される諧調電圧またはリセット電圧発生部６００により出力されるリセット電圧を当該データ線に印加する。
【００７２】
上記発光ダイオード７００ａ，７００ｂ，７００ｃは，それぞれＲ，Ｇ，Ｂに対応する光をＬＣＤパネルに出力し，光源制御器８００は，発光ダイオード７００ａ，７００ｂ，７００ｃの点灯時期を制御する。このとき，本実施形態によると，データドライバ３００から当該諧調データをデータ線に供給する時点と，光源制御器８００によりＲ，Ｇ，Ｂ発光ダイオードを点灯する時点とは，タイミング制御器５００により提供される制御信号により同期され得る。
【００７３】
一方，図８に示すように，本発明の第１実施形態によるリセット電圧発生部６００は，メモリ６２０，リセット電圧選択部６４０，スイッチ６６０，および静電圧発生部６８０を含む。
【００７４】
上記メモリ６２０は，直前画素に対応する諧調データと，直前諧調データに対応するリセット電圧値とを記憶している。
【００７５】
上記リセット電圧選択部６４０は，メモリ６２０に記憶された直前画素の諧調データ（Ｒ，Ｇ，Ｂ）に対応するリセット電圧値をメモリ６２０から読み取り，読み取った値によってスイッチ６６０の動作を制御する。
【００７６】
上記静電圧発生部６８０は，互いに異なるレベルを有するリセット電圧（Ｖｒ１，Ｖｒ２，０Ｖ）を生成してスイッチ６６０に供給する。
【００７７】
スイッチ６６０は，リセット電圧選択部６４０の制御動作によって，静電圧発生部６８０から出力される複数のリセット電圧のうち，１つのリセット電圧を選択してデータドライバ３００に出力する。
【００７８】
このように，本発明の第１実施形態によると，リセット電圧発生部６００は，直前画素に印加されるデータ電圧によって互いに異なる大きさのリセット電圧を生成し，データドライバ３００は，リセット電圧発生部６００から出力された直前諧調データに対応するリセット電圧をデータ線に印加する。このようにして，リセットのための最適の電圧を印加することができるので，リセット電圧による消費電力を節減することができる。
【００７９】
次に，図９〜図１２に基づき，本発明の第２実施形態による駆動方法を説明する。本発明の第２実施形態による駆動方法は，デジタル方式のフィールド順次駆動方法に適用されるリセット駆動方法を表している。
【００８０】
図９に示すように，現在，Ｒ光を表示するための（ｍ，ｊ）画素（即ち，Ｄｍデータ線とＳｊ走査線に対応する画素）に印加されるリセット波形の幅（ｔｒ１）と（ｍ，ｊ＋１）画素（つまり，Ｄｍデータ線とＳｊ＋１走査線に対応する画素）に印加されるリセット波形の幅（ｔｒ２）は，直前画素（例えば，Ｂ光を表示するための画素）に印加された諧調波形によって異なる。
【００８１】
具体的に，第２実施形態によると，ノーマルホワイトモードにおいて，直前画素に電圧幅（ｔｄ１）の大きい諧調波形が印加される場合は，電圧幅（ｔｄ２）の小さい諧調波形が印加される場合に比べ，比較的少ない光が透過可能な液晶状態となるため，小さい電圧幅（ｔｒ１）を有するリセット波形を印加することができる。
【００８２】
また，直前画素に相対的に大きい幅の諧調波形が印加されて，データ電圧印加区間の終了時点において液晶がほぼブラック状態の場合は，リセット波形を印加しないとすることもできる。
【００８３】
このように，本発明の第２実施形態によると，直前画素に印加される諧調波形の幅（またはパターン）に応じて互いに異なる幅のリセット波形が印加されるので，リセット波形印加による消費電力を最小化することができる。
【００８４】
図１０〜図１２は，本発明の第２実施形態による，リセット波形を印加するための液晶表示装置を示す図である。図１０に示す第２実施形態による液晶表示装置において，図７に示す第１実施形態による液晶表示装置と実質的に同一部分には同一符号を付け，以下では重複説明を省略する。相違する構成要素は，諧調波形生成部９００，リセット波形生成部１０００である。
【００８５】
図１０に示すように，諧調波形生成部９００は，諧調データに対応する電圧幅を有する諧調波形を生成してデータドライバ３００に供給する。リセット波形生成部１０００は，直前画素に印加される諧調波形に対応するリセット波形を生成し，生成された波形をデータドライバ３００に供給する。そして，データドライバ３００は，諧調波形生成部９００により出力される諧調波形またはリセット波形生成部１０００により出力されるリセット波形を当該データ線に印加する。
【００８６】
図１１および図１２は，それぞれ本発明の第２実施形態による諧調波形生成部９００およびリセット波形生成部１０００を詳細に示す図である。
【００８７】
図１１に示すように，本発明の第２実施形態による諧調波形生成部９００は，電圧印加時間制御部９２０，パターンテーブル９４０，静電圧発生部９６０，およびスイッチ９８０を含んで構成される。
【００８８】
上記パターンテーブル９４０は，諧調データに対応する諧調波形パターン（オン／オフパターン）を記憶している。本発明の第２実施形態によると，パターンテーブルは６ビットの諧調データに対応する４ビットのオン／オフパターンを記憶している。例えば，本発明の第２実施形態によると，１０１１１１の６ビットの諧調データに対応して１０１１のオン／オフパターン（ここで，“１”はオン波形，“０”はオフ波形を示す）を記憶している。
【００８９】
電圧印加時間制御部９２０は，入力される諧調データ（Ｒ，Ｇ，Ｂ）に対応する諧調波形パターン（オン／オフパターン）をパターンテーブル９４０から抽出し，抽出された諧調波形パターンによって，スイッチ９８０のオン／オフ動作およびオン／オフ時間を制御する。具体的に，電圧印加時間制御部９２０は，抽出された諧調波形パターン（オン／オフパターン）値が“１”の場合は，前もって設定された時間の間，第１電圧（Ｖｏｎ）を印加するようにスイッチを制御し，液晶をオン状態にする。“０”の場合は，第２電圧（０Ｖ）が印加されるようにスイッチを制御して液晶をオフ状態にする。静電圧発生部９６０は，第１電圧（Ｖｏｎ）および第２電圧（０Ｖ）を生成してスイッチ９８０に供給する。
【００９０】
上記スイッチ９８０は，電圧印加時間制御部９２０の制御動作によって，静電圧発生部９６０から出力される上記第１電圧または第２電圧を選択し，当該諧調波形をデータドライバ３００に出力する。
【００９１】
図１２に示すように，本発明の第２実施形態によるリセット波形生成部１０００は，メモリ１０４０，電圧印加時間制御部１０２０，静電圧発生部１０６０，およびスイッチ１０８０を含んで構成される。
【００９２】
上記メモリ１０４０は，直前画素に対応する諧調データと，直前諧調データに対応するリセット波形パターンとを記憶している。第２実施形態によると，メモリ１０４０は，６ビットの諧調データに対応する３ビットのリセット波形パターン（オン／オフパターン）記憶している。本発明の第２実施形態によると，例えば１０１１１１の６ビットの諧調データに対応して，１００のオン／オフパターン（ここで，“１”はオン波形，“０”はオフ波形を示す）を記憶している。
【００９３】
上記電圧印加時間制御部１０２０は，メモリ１０４０に記憶された直前画素の諧調データ（Ｒ，Ｇ，Ｂ）に対応するリセット波形パターン（オン／オフパターン）をメモリ１０４０から読み取り，読み取ったオン／オフパターンによって，スイッチ１０８０のオン／オフ動作およびオン／オフ時間を制御する。そして，図１２に示すスイッチ１０８０および静電圧発生部１０６０は，図１１に示す対応構成要素の動作とほぼ同一であるので，以下では重複説明を省略する。
【００９４】
つぎに，図１３に基づき，本発明の第３実施形態による駆動方法を説明する。本発明の第３実施形態による駆動方法は，デジタル方式のフィールド順次駆動方法に適用されるリセット駆動方法を表している。
【００９５】
図１３に示すように，現在Ｒ光を表示するための（ｍ，ｊ）画素（つまり，Ｄｍデータ線とＳｊ走査線に対応する画素）に印加されるリセット電圧の大きさ（Ｖ１）と（ｍ，ｊ＋１）画素（つまり，Ｄｍデータ線とＳｊ＋１走査線に対応する画素）に印加されるリセット電圧の大きさ（Ｖ２）は，直前画素（例えば，Ｂ光を表示するための画素）に印加された諧調波形によって異なる。
【００９６】
具体的に，本発明の第３実施形態によると，ノーマルホワイトモードにおいて，直前画素に電圧幅（ｔｄ１）の大きい諧調波形が印加される場合は，電圧幅（ｔｄ２）の小さい諧調波形が印加される場合に比べ，比較的少ない光が透過可能な液晶状態となるため，小さい電圧大きさ（Ｖ１）を有するリセット波形を印加することができる。
【００９７】
また，直前画素に比較的大きい幅の諧調波形が印加され，データ電圧印加区間の終了時点において液晶がほぼブラック状態の場合は，リセット電圧を印加しないとすることもできる。
【００９８】
このように，本発明の第３実施形態によると，直前画素に印加される諧調波形の幅（またはパターン）に応じて互いに異なる大きさを有するリセット電圧を印加するため，リセット電圧印加による消費電力を最小化することができる。
【００９９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１００】
本発明は，液晶表示装置およびその駆動方法に係り，より詳細には，フィールド順次駆動方式の液晶表示装置およびその駆動方法に適用可能である。
【図面の簡単な説明】
【０１０１】
【図１】従来のＴＦＴ−ＬＣＤの画素を示す図である。
【図２】従来のアナログ方式の液晶表示装置の駆動方法を説明する波形図である。
【図３】従来のデジタル方式の液晶表示装置の駆動方法を説明する波形図である。
【図４】従来の液晶表示装置のリセット駆動方法を説明する波形図である。
【図５】本実施形態によるリセット駆動方法を示す図である。
【図６】第１実施形態による液晶表示装置の駆動方法を示す図である。
【図７】第１実施形態による液晶表示装置を示すブロック図である。
【図８】図７の液晶表示装置のリセット電圧発生部のブロック図である。
【図９】第２実施形態による液晶表示装置の駆動方法を示す図である。
【図１０】第２実施形態による液晶表示装置を示すブロック図である。
【図１１】図１０の液晶表示装置の諧調波形生成部のブロック図である。
【図１２】図１０の液晶表示装置のリセット波形生成部のブロック図である。
【図１３】第３実施形態による液晶表示装置の駆動方法を示す図である。
【符号の説明】
【０１０２】
１００    液晶表示装置パネル
２００    走査ドライバ
３００    データドライバ
４００    諧調電圧発生部
５００    タイミング制御器
６００    リセット電圧発生部
６２０    メモリ
６４０    リセット電圧選択部
６６０    スイッチ
６８０    静電圧発生部
７００ａ，７００ｂ，７００ｃ    発光ダイオード
８００    光源制御器
９００    諧調波形生成部
９２０    電圧印加時間制御部
９４０    パターンテーブル
９６０    静電圧発生部
９８０    スイッチ
１０００  リセット波形生成部
１０４０  メモリ
１０２０  電圧印加時間制御部
１０６０  静電圧発生部
１０８０  スイッチ
【図１】
2005331907.tif 000003
【図２】
2005331907.tif 000004
【図３】
2005331907.tif 000005
【図４】
2005331907.tif 000006
【図５】
2005331907.tif 000007
【図６】
2005331907.tif 000008
【図７】
2005331907.tif 000009
【図８】
2005331907.tif 000010
【図９】
2005331907.tif 000011
【図１０】
2005331907.tif 000012
【図１１】
2005331907.tif 000013
【図１２】
2005331907.tif 000014
【図１３】
2005331907.tif 000015